(57)【要約】  ＭＲに基づく分子イメージングは、造影剤の正確な定量化によって強く支持されている。本発明の例示的な実施形態によれば、検査装置の決定ユニットが、誤差伝播関数を決定するように適応され、誤差伝播関数は、ΔＲ２＊の正確な決定のための重み付け関数として使用される。これは、改善された検査結果をもたらす。
2008538967.tif 000002
【特許請求の範囲】
【請求項１】
関心対象を検査するための磁気共鳴検査装置であって、
前記関心対象の第１のマルチエコーデータセット及び前記関心対象の第２のマルチエコーデータセットを取得するように適応される取得ユニットと、
重み付け関数を決定し、前記第１及び前記第２のマルチエコーデータセットの対応するエコー時間から緩和時間の変化を決定し、前記重み付け関数に基づいて、前記緩和時間の変化の加重平均を決定するように適応される決定ユニットと、
を有する検査装置。
【請求項２】
前記重み付け関数の前記決定は、誤差関数の決定に基づいて実施される、請求項１に記載の検査装置。
【請求項３】
前記重み付け関数の前記決定は、前記第１及び前記第２のマルチエコーデータセットからの対応するエコー間の信号差に基づいて実施され、前記信号差が、前記重み付け関数の値を決定する、請求項１に記載の検査装置。
【請求項４】
前記関心対象の前記第１のマルチエコーデータセットは、第１のエコー時間における第１のエコー及び第２のエコー時間における第２のエコーを含み、前記関心対象の前記第２のマルチエコーデータセットは、第３のエコー時間における第３のエコー及び第４のエコー時間における第４のエコーを含む、請求項１に記載の検査装置。
【請求項５】
前記第１のマルチエコーデータセットは、造影剤の投与前に取得され、前記第２のマルチエコーデータセットは、造影剤の投与後に取得される、請求項１に記載の検査装置。
【請求項６】
前記重み付け関数は、前記関心対象の単一のボクセルについて決定される、請求項１に記載の検査装置。
【請求項７】
前記誤差関数は、緩和レートの変化の標準偏差である、請求項１に記載の検査装置。
【請求項８】
前記重み付け関数は、エコー時間の増加に伴うボクセルの強度変化の指数関数的な適合に基づいて決定される緩和時間を使用することによって計算される、請求項１に記載の検査装置。
【請求項９】
手荷物検査装置、医療アプリケーション装置、材料試験装置及び材料科学解析装置を含むグループの１つとして構成される、請求項１に記載の検査装置。
【請求項１０】
関心対象を検査するための画像処理装置であって、
前記関心対象の第１のマルチエコーデータセットを記憶し、前記関心対象の第２のマルチエコーデータセットを記憶するメモリと、
重み付け関数を決定し、前記第１及び前記第２のマルチエコーデータセットの対応するエコー時間から緩和時間の変化を決定し、前記重み付け関数に基づいて前記緩和時間の変化の加重平均を決定するように適応される決定ユニットと、
を有する画像処理装置。
【請求項１１】
関心対象の検査方法であって、
前記関心対象の第１のマルチエコーデータセット及び前記関心対象の第２のマルチエコーデータセットを取得するステップと、
重み付け関数を決定するステップと、
前記第１及び前記第２のマルチエコーデータセットの対応するエコー時間から緩和時間の変化を決定するステップと、
前記重み付け関数に基づいて、前記緩和時間の変化の加重平均を決定するステップと、
を含む方法。
【請求項１２】
関心対象を検査するためのコンピュータプログラムが記憶されているコンピュータ可読媒体であって、前記コンピュータプログラムは、プロセッサによって実行されるとき、
前記関心対象の第１のマルチエコーデータセット及び前記関心対象の第２のマルチエコーデータセットを取得するステップと、
重み付け関数を決定するステップと、
前記第１及び前記第２のマルチエコーデータセットの対応するエコー時間から、緩和時間の変化を決定するステップと、
前記重み付け関数に基づいて前記緩和時間の変化の加重平均を決定するステップと、
を実行するように適応される、コンピュータ可読媒体。
【請求項１３】
関心対象を検査するためのプログラムであって、プロセッサによって実行されるとき、
前記関心対象の第１のマルチエコーデータセット及び前記関心対象の第２のマルチエコーデータセットを取得するステップと、
重み付け関数を決定するステップと、
前記第１及び前記第２のマルチエコーデータセットの対応するエコー時間から、緩和時間の変化を決定するステップと、
前記重み付け関数に基づいて前記緩和時間の変化の加重平均を決定するステップと、
を実行するように適応されるプログラム。
【発明の詳細な説明】
【技術分野】
【０００１】
本発明は、分子イメージングの分野に関する。特に、本発明は、関心対象を検査するための検査装置、画像処理装置、関心対象の検査方法、コンピュータ可読媒体及びプログラム要素に関する。
【背景技術】
【０００２】
磁気共鳴（ＭＲ）に基づく分子イメージングは、造影剤の正確な定量化によって強く支持されている。変化する腫瘍血管新生及び灌流のような治療効果の監視は、臨床的なルーチンにおいて非常に重要である。治療効果を検出するには、ＭＲ緩和レートＲ２及びＲ２＊の変化を引き起こす造影剤濃度の正確且つ定量的な決定を必要とする。Ｒ２は、スピン−スピン横緩和時間とも呼ばれるＴ２緩和時間の逆数（１／Ｔ２）として規定される。Ｒ２＊は、Ｔ２＊緩和時間の逆数として規定され、Ｔ２＊緩和時間は、Ｔ２を含むとともに、付加的に磁界不均一性を取り入れる。更に、変化する酸素濃度の検出、ｆＭＲＩ（機能的磁気共鳴イメージング）アプリケーション及びＴ１造影剤は、緩和時間又は緩和レートの変化の正確な定量化から利益を得る。
【発明の開示】
【発明が解決しようとする課題】
【０００３】
しかしながら、緩和レートの変化（ΔＲ２＊）が先験的に知られていない場合、又は画像内の緩和レートの変化に広いレンジがある場合、知られている技法に基づいて緩和レートの変化を正確に決定することは可能でないことがある。
【０００４】
本発明の目的は、緩和レートの変化の改善された決定を有することである。
【課題を解決するための手段】
【０００５】
本発明によれば、関心対象を検査するための検査装置であって、関心対象の第１のマルチエコーデータセット及び関心対象の第２のマルチエコーデータセットを取得するように適応される取得ユニットと、重み付け関数を決定し、第１及び第２のマルチエコーデータセットの対応するエコー時間から緩和時間の変化を決定し、重み付け関数に基づいて緩和時間の変化の加重平均を決定するように適応される決定ユニットと、を有する検査装置が提供されうる。
【０００６】
従って、重み付け関数が、ΔＲ２又はΔＲ２＊の加重平均の計算のために使用されることができる。これは、最適化された緩和時間変化の決定をもたらし、従って改善された検査結果を提供する。
【０００７】
本発明の例示的な実施形態によれば、重み付け関数の決定は、誤差関数の決定に基づいて実施される。
【０００８】
誤差伝播関数の使用は、緩和時間の変化の加重平均の正確な決定を提供することができる。
【０００９】
本発明の別の例示的な実施形態によれば、重み付け関数の決定は、第１及び第２のマルチエコーデータセットからの対応するエコー間の信号差に基づいて実施され、信号差は、重み付け関数の値を決定する。
【００１０】
こうして、例えば大きい信号差は、対応する大きい重み付け関数値をもたらすことができ、小さい信号差は、対応する小さい重み付け関数値をもたらすことができる。これは、効果的な重み付け関数の決定を提供することができる。
【００１１】
本発明の別の例示的な実施形態によれば、関心対象の第１のマルチエコーデータセットは、第１のエコー時間における１のエコー及び第２のエコー時間における第２のエコーを含み、関心対象の第２のマルチエコーデータセットは、第３のエコー時間における第３のエコー及び第４のエコー時間における第４のエコーを含む。
【００１２】
従って、本発明のこの例示的な実施形態によれば、緩和時間変化ΔＲ２＊は、第１及び第３のエコー時間に関して及び第２及び第４のエコー時間に関して計算されることができる。これは、結果的に複数のΔＲ２＊値を与えることができ、かかる複数のΔＲ２＊値は、平均されることができる。この平均計算のために、誤差伝播関数が、重み付け関数として使用されることができる。
【００１３】
本発明の別の例示的な実施形態によれば、第１のマルチエコーデータセットは、造影剤の投与前に取得され、第２のマルチエコーデータセットは、造影剤の投与後に取得される。
【００１４】
更に、本発明の別の例示的な実施形態によれば、重み付け関数は、関心対象のボクセルについて決定される。
【００１５】
従って、ΔＲ２＊は、あらゆるボクセルについて、造影剤の投与前後のボクセルの強度を割り算し、この分数の対数を計算することによって、計算されることができる。この計算は、造影剤投与前後の画像が２以上のエコー時間において取得されている場合、あらゆるエコー時間について実施されることができる。これは、常にΔＲ２＊の対応する結果をもたらすことができる。ここで、これらのΔＲ２＊値の平均が、重み付け関数に基づいて計算されることができる。
【００１６】
本発明の別の例示的な実施形態によれば、誤差伝播関数は、緩和レートの変化の標準偏差である。
【００１７】
本発明の別の例示的な実施形態によれば、重み付け関数は、エコー時間の増加に伴うボクセルの強度変化の指数関数的な適合に基づいて決定される緩和時間を使用することによって計算される。
【００１８】
従って、本発明のこの例示的な実施形態によれば、重み付け関数を計算するために、緩和時間が、エコー時間の増加に伴うボクセルの強度変化を指数関数的に適合させることによって決定される。これは、緩和時間の値を与えることができる。この緩和時間は、高いエコー時間の場合に強度がゼロまで下がることを確実にするように誤差伝播関数を計算するために使用されることができる。
【００１９】
本発明の別の例示的な実施形態によれば、検査装置は、手荷物検査装置、医療アプリケーション装置、材料試験装置又は材料科学解析装置として応用されることができる。本発明の規定される機能は、安全であり信頼性があり非常に正確な材料の解析を可能にしうるので、本発明の応用分野は、材料科学解析であってもよい。
【００２０】
本発明の別の例示的な実施形態によれば、関心対象を検査するための画像処理装置であって、関心対象の第１のマルチエコーデータセットを記憶し、関心対象の第２のマルチエコーデータセットを記憶するメモリを有する画像処理装置が提供されることができる。更に、画像処理装置は、重み付け関数を決定し、第１及び第２のマルチエコーデータセットの対応するエコー時間から緩和時間の変化を決定し、重み付け関数に基づいて緩和時間の変化の加重平均を決定するように適応される決定ユニットを有することができる。
【００２１】
従って、緩和レートの変化の改善された決定を実施し、それによって正確な検査結果をもたらすように適応される画像処理装置が提供されることができる。
【００２２】
本発明の例示的な別の実施形態によれば、関心対象の第１のマルチエコーデータセット及び関心対象の第２のマルチエコーデータセットを取得するステップと、重み付け関数を決定するステップと、第１及び第２のマルチエコーデータセットの対応するエコー時間から緩和時間の変化を決定するステップと、重み付け関数に基づいて緩和時間の変化の加重平均を決定するステップと、を含む関心対象の検査方法が提供される。
【００２３】
本発明の別の例示的な実施形態によれば、プロセッサによって実行されるとき上述の方法ステップを実行するように適応される、関心対象を検査するためのコンピュータプログラムが記憶されているコンピュータ可読媒体が提供されることができる。
【００２４】
更に、本発明は、コンピュータ可読媒体に記憶されることができる、関心対象を検査するためのプログラム要素に関する。プログラム要素は、関心対象の第１のマルチエコーデータセット及び関心対象の第２のマルチエコーデータセットを取得するステップと、重み付け関数を決定するステップと、第１及び第２のマルチエコーデータセットの対応するエコー時間から緩和時間の変化を決定するステップと、重み付け関数に基づいて緩和時間の変化の加重平均を決定するステップと、を実行するように適応されることができる。
【００２５】
プログラム要素は、好適には、データプロセッサの作業メモリにロードされることができる。こうして、データプロセッサは、本発明の方法の例示的な実施形態を実行するための能力を具えうる。コンピュータプログラムは、例えばＣ＋＋のような任意の適切なプログラミング言語で書かれることがき、例えばＣＤ−ＲＯＭのようなコンピュータ可読媒体に記憶されることもできる。更に、コンピュータプログラムは、例えばワールドワイドウェブのようなネットワークから利用できるようにされてもよく、かかるネットワークから、画像処理ユニット、プロセッサ又は任意の適切なコンピュータにダウンロードされてもよい。
【００２６】
造影剤の投与前後の緩和レートの変化の定量的な決定が提供されることが、本発明の例示的な実施形態の要旨として理解されることができる。本発明の例示的な実施形態によれば、重み付け関数は、造影剤投与前後に取得されるマルチエコーデータセットに基づいて計算されることができる。重み付け関数は、ΔＲ２＊を正確に決定するようにマルチエコーデータセットを重み付けするために使用されることができる。
【００２７】
本発明のこれら及び他の見地は、以下に記述される実施形態から明らかになり、それら実施形態を参照して解明される。
【００２８】
本発明の例示的な実施形態は、添付の図面を参照して以下に記述される。
【発明を実施するための最良の形態】
【００２９】
図面の中のイラストレーションは概略的である。それぞれ異なる図面において、同様の又は同一の構成要素は、同じ参照数字を用いて与えられることができる。
【００３０】
図１は、本発明によるＭＲスキャナシステムの実施例の簡略化された概略図を示している。ＭＲスキャナシステムは、軸２１８に沿って配された、検査空間２１７を囲むコイル２１０を有する。検査されるべき患者２１５は、検査空間２１７に位置付けられる。しかしながら、記述される検査装置は、手荷物検査又は材料科学解析の分野において使用されることもできることが留意されるべきである。従って、関心対象２１５は、解析されなければならない手荷物アイテム又は材料でありうる。
【００３１】
有利には、関心対象２１５は、検査空間２１７の下部に配される可動テーブル又はコンベヤベルト２１６上にある。検査空間２１７を囲むコイル２１０のシステムは、ＨＦコイル２１９と、内側コイル２１３及びアクティブに遮蔽されるコイル又はシールド２１２を有する勾配コイルのアクティブに遮蔽される機構と、クライオスタット２１１と、を有する。コイルは、磁界の生成中に冷却されるようにクライオスタット内に配される。勾配コイル２１３、２１２の機構は、勾配増幅器２２０に接続されるとともに、造影剤の投与前及び造影剤の投与後にそれぞれ取得される第１のデータセット及び第２のデータセットに基づいて、誤差伝播関数を決定するように適応される決定ユニット（図１に図示せず）に接続されることができる。
【００３２】
更に、ＭＲスキャナシステムは、例えばコンベヤベルト２１６を移動させるための、個々のモータ（図１に図示せず）を有するモータ制御ユニットを有することができる。
【００３３】
図２は、１つのボクセルについて、重み付け関数とシミュレートされたデータとの比較を示しており、プロット１０４は、ΔＲ２＊の標準偏差の逆数を示しており、プロット１０３は、造影剤の投与の前後の信号差からのコントラストを示している。
【００３４】
緩和レートΔＲ２＊の変化は、造影剤投与前後に、エコー時間ＴＥにおいて２つの画像を測定することによって決定されることができる。これから、緩和レートの差が、計算されることができる。本発明の例示的な実施形態によれば、方法は、Ｒ２及びＲ２＊の双方について適用されることができることが留意されるべきである。しかしながら、ΔＲ２＊は、次のように与えられることができる。
【数１】
2008538967.tif 000003
【００３５】
上式で、Ｓｐｏｓｔ及びＳｐｒｅは、緩和レートの変化の前後の信号強度である。エコー時間は、ＳｐｏｓｔとＳｐｒｅとの間の最大のコントラスト差にあるように選ばれることができる。これは、緩和レートの変化が先験的に知られている場合及び画像内にΔＲ２＊の広いレンジがない場合、最適化されることができる。マルチエコーシーケンスを使用することによって、これは、あらゆるボクセルについて最適化されることができる。さまざまな異なるエコー時間ＴＥｉにおいてＭＲ画像を測定することによって、ΔＲ２＊の決定のための最適化された方法が、本発明の例示的な実施形態により提供されることができる。
【００３６】
ΔＲ２＊決定のノイズを最小限にするために、式（１）の誤差伝播関数が、あらゆるボクセルについて計算されることができる。
【数２】
2008538967.tif 000004
【００３７】
上式で、δ（ΔＲ２＊（ＴＥｉ））は、ΔＲ２＊の標準偏差であり、σ（Ｓｐｒｅ）２、σ（Ｓｐｏｓｔ）２は、画像Ｓｐｒｅ及びＳｐｏｓｔにおけるノイズの分散である。タームＳｐｒｅ（ＴＥｉ）及びＳｐｏｓｔ（ＴＥｉ）について、ピクセル強度の実際の値は、使用されなくてよい。これらの値は、画像のノイズ制限を下回らないことがあり、従って誤差伝播関数が、誤った結果をもたらすことがあるからである。誤差伝播の信頼できる評価を得るために、これらのタームは、それらの緩和時間に依存して、それらの理論値によって表現されることができる。
【数３】
2008538967.tif 000005
【００３８】
緩和レートは、造影剤の投与前後におけるマルチエコーデータセットの指数関数的な適合から得られる必要がありうる。
【００３９】
ΔＲ２＊は、式（２）に示される標準偏差によって重み付けされたすべての測定されたエコーの平均値として計算されることができる。ΔＲ２＊のこの標準偏差関数は、図２に示す重み付け関数としても使用されることができるＳｐｏｓｔ（ＴＥｉ）−Ｓｐｒｅ（ＴＥｉ）によって決定されるコントラスト関数とは異なる挙動を示すことがあり、更に、式（２）の最大及び最大コントラストは、Ｒ２＊の大きい変化の場合とは異なるＴＥｉにありうる。
【００４０】
図２の軸１０１は、さまざまな異なるエコー時間ＴＥ［Ｔ２＊ｐｒｅ］を表し、垂直軸１０２は、２つの重み付け関数の大きさを表す。プロット１０３は、造影剤投与前後の信号差（Ｓｐｒｅ−Ｓｐｏｓｔ）からのコントラストを示し、プロット１０４は、ΔＲ２＊の標準偏差の逆数、（１／（δΔＲ２＊）を示す。
【００４１】
本発明の例示的な実施形態によれば、式（２）は、最も正確なΔＲ２＊を決定するために、マルチエコーデータセットについて重み付け関数として使用される。
【００４２】
小さい信号対雑音比を有する画像において、ノイズは、信号の相当な部分を占めることがあり、ΔＲ２＊の計算は、正確な結果を定量的に得るために変更される必要がありうる。従って、本発明の例示的な実施形態によれば、式（１）は、平均ノイズによって完成されることができる。
【数４】
2008538967.tif 000006
【００４３】
方法は、あらゆるボクセルについてΔＲ２＊の最適の決定を可能にすることができる。方法は、画像内のΔＲ２＊のレンジに依存しない。方法は、あらゆるボクセルについて最適化されることができ、期待されるΔＲ２＊の事前の知識を必要としなくてよいからである。
【００４４】
本発明の例示的な実施形態によるマルチエコーデータについての別の方法は、各々の測定されたデータセットＳｐｒｅ（ＴＥｉ）及びＳｐｏｓｔ（ＴＥｉ）に対して指数減衰関数を適合させ、適合の結果から差ΔＲ２＊を計算することでありうる。この方法は、緩和関数が、例えば大きいスケールの磁界不均一性の存在下で単一指数関数からずれる場合、誤差をこうむりやすい。式１を使用することによって、これらのずれは、比Ｓｐｏｓｔ／Ｓｐｒｅにおいて打ち消しあうことが可能である。
【００４５】
図３は、それぞれ異なる減衰時間を有する２つのボクセルについてシミュレートされたデータの２つの例示の重み付け関数を示している。水平軸１０５は、エコー時間［Ｔ２＊］を表し、垂直軸１０６は、任意単位で１／（ΔＲ２（ＴＥ）の誤差）を表わす。プロット１０７は、ΔＲ２＊＝０．８の場合の重み付け関数を示し、プロット１０８は、ΔＲ２＊＝０．１の場合の重み付け関数を示している。ボクセルの信号対雑音比は、約５％である。
【００４６】
図４は、希釈された酸化鉄造影剤で満たされたガラス管のΔＲ２パラメータマップを示している。本発明の例示的な実施形態によれば、左の画像は、ガラス管内のΔＲ２＊の精度１２％を有するΔＲ２マップを示し、右の画像は、ガラス管内のΔＲ２＊の精度７％を有するΔＲ２マップの重み付けされた計算を示す。２つの画像は、造影剤投与前後のマルチエコーデータの緩和関数の指数関数的減衰の適合と、同じデータセットについて重み付けされた計算方法との比較を示す。グレースケールは、単位［１／ｍｓ］で表されている。
【００４７】
言い換えると、緩和関数は、例えば磁界不均一性により、指数関数からずれることがあり、それゆえΔＲ２＊決定を誤らせることがあるので、ΔＲ２＊は、同じエコー時間ＴＥに測定された２つの重み付けされた画像から計算されることができる。
【００４８】
本発明の例示的な実施形態によれば、最適なΔＲ２＊は、すべての測定された画像の平均ノイズを計算し、造影剤の投与前後の緩和時間マップを生成することによって決定されることができる。ΔＲ２＊の誤差が、あらゆるエコー時間について計算される。これは、あらゆるボクセルについてΔＲ２＊の計算のために最適なエコー時間の決定を可能にすることができる。
【００４９】
更に、本発明の例示的な実施形態によれば、マルチエコー測定法において、すべての測定されるエコーは、重み付け関数として誤差伝播関数を使用することによりすべての利用可能なエコー時間の重み付き平均を計算することによって利用されることができる。これは、すべての利用可能なデータを並行に使用しながら、ΔＲ２＊の正確な決定を確実にすることができる。
【００５０】
本発明の例示的な実施形態による方法は、マルチエコーデータセットについて、ロバストであり定量的に正確な結果をもたらすことができる。更に、方法は、画像内のΔＲ２＊のレンジに依存せず、期待されるΔＲ２＊について事前の知識を必要としなくてよい。誤差伝播関数の適用は、それがノイズ及び緩和時間マップを組み込むことができるので、特にロバストな方法でありうる。この方法は、差ΔＲ２＊のみが計算され、すべての不均一性効果が打ち消しあうことができるので、結果を定量的に補正することができる。方法は更に、酸素濃度の変化の決定、ｆＭＲＩアプリケーション及びＴ１造影剤に関しても使用されることができる。
【００５１】
図５は、本発明による方法の例示的な実施形態を実行するための本発明による画像処理装置の例示的な実施形態を示している。図５に示される画像処理装置４００は、例えば解析されるべき患者又は材料のような関心対象を示す画像を記憶するメモリ４０２に接続される中央処理ユニット（ＣＰＵ）又は画像プロセッサ４０１を有する。データプロセッサ４０１は、複数の入力／出力ネットワーク、又はＭＲ装置のような診断装置に接続されることができる。データプロセッサ４０１は、更に、データプロセッサ４０１において計算され又は適応化された情報又は画像を表示する、例えばコンピュータモニタのような表示装置４０３に接続されることができる。オペレータ又はユーザは、キーボード４０４及び／又は図５に示されていない他の出力装置を介してデータプロセッサ４０１と対話することができる。更に、バスシステム４０５を介して、画像処理及び制御プロセッサ４０１を、例えば関心対象の動きを監視する動きモニタに接続することも可能である。例えば、患者の肺がイメージングされる場合、動きセンサは呼気センサでありうる。心臓がイメージングされる場合、動きセンサ機能は、心電図によって行われることができる。
【００５２】
本発明による関心対象の検査は、造影剤の投与前後に測定されるデータに基づく誤差伝播関数の決定を考慮することができる。これは、マルチエコーデータセットについて、ロバストであり定量的に正確な結果をもたらす最適なデータＲ２＊の決定を提供することができる。
【００５３】
本発明の例示的な実施形態は、ＭＲスキャナコンソールワークステーションに対するソフトウェアオプションとして販売されることができる。
【００５４】
「有する、含む」なる語は、他の構成要素又はステップを除外せず、単数形で表わされる語は、その複数の存在を除外せず、単一のプロセッサ又はシステムは、特許請求の範囲に記述されるいくつかの手段又はユニットの機能を果たすことができることが留意されるべきである。更に、さまざまな異なる実施形態に関連して記述される構成要素が、組み合わせられることも可能である。
【００５５】
請求項におけるいかなる参照符号も、特許請求の範囲を制限するものとして解釈されるべきでないことも留意されるべきである。
【図面の簡単な説明】
【００５６】
【図１】本発明の例示的な実施形態によるＭＲスキャナの簡略化された概略図。
【図２】シミュレーションに基づく重み付け関数の比較を示す図。
【図３】それぞれ異なる減衰時間を有する２つのボクセルについてシミュレートされたデータの重み付け関数の例を示す図。
【図４】希釈された酸化鉄造影剤で満たされるガラス管のＲ２＊パラメータマップの例を示す図。
【図５】本発明による方法の例示的な実施形態を実行するための本発明による画像処理装置の例示的な実施形態を示す図。
【図１】
2008538967.tif 000007
【図２】
2008538967.tif 000008
【図３】
2008538967.tif 000009
【図４】
2008538967.tif 000010
【図５】
2008538967.tif 000011
【国際調査報告】
2008538967.tif 000012
2008538967.tif 000013
2008538967.tif 000014